(57)【要約】  本明細書では、耳介用装置を備えた眼鏡に関する説明が記載されている。該眼鏡は、レンズ（４）をそれぞれ支持する前部フレーム（２）を有する構造体と、前部フレームの両側にそれぞれ連結された１対のアーム（６）とを備える。各アームは、前部フレーム（２）に連結された第１の端部（６ａ）と反対側の第２の端部（６ｂ）との間で長手方向に延在する。第２の端部（６ｂ）の近傍で、アーム終端部分（１０ａ）が使用者の耳の領域において頭と接触することができる。各アーム（６）は、第２の端部（６ｂ）から、耳介用装置（８）を支持する要素（１２）を支える柔軟な材料から形成されたアーム部分（１１）まで延在し、その柔軟性によって、アーム部分（１１）は、耳介用装置（８）を配置するように支持要素（１２）が使用者の耳に装着される動作位置と、支持要素（１２）がアーム終端部分（１０ａ）上に取り外し可能に保持される非動作位置との間を移動することができる。【選択図】図１
2020522755.tif 000002
【特許請求の範囲】
【請求項１】
耳介用装置を備える眼鏡であって、
・  レンズ（４）をそれぞれ支持する前部フレーム（２）を有する構造体と、
・  前記前部フレームの両側にそれぞれ連結された１対のアーム（６）と、
を備え、
前記アーム（６）は、前記前部フレーム（２）に連結された第１の端部（６ａ）と反対側の第２の端部（６ｂ）との間でそれぞれ長手方向に延在し、前記第２の端部（６ｂ）の近傍で、アーム終端部分（１０ａ）が使用者の耳の領域において頭と接触することができ、
前記アーム（６）は、前記第２の端部（６ｂ）から、耳介用装置（８）を支持する要素を支える柔軟な材料から形成されたアーム部分（１１）までそれぞれ延在し、その柔軟性によって、前記アーム部分（１１）は、前記耳介用装置（８）を配置するように前記支持要素（１２）が使用者の耳に装着される動作位置と、前記支持要素（１２）が前記アーム終端部分（１０ａ）上に保持される非動作位置と、の間を移動することができることを特徴とする、
眼鏡。
【請求項２】
少なくとも前記アーム部分（１１）は、弾性的に変形可能な弾性材料から形成される、
請求項１に記載の眼鏡。
【請求項３】
前記アーム部分（１１）は、前記第２の端部（６ｂ）と、反対側の前記部分（１１）の自由端部（１１ａ）との間で長手方向に延在する主延在部を有し、前記支持要素（１２）は、前記自由端部（１１ａ）において前記アーム部分（１１）上に設けられる、
請求項１または２に記載の眼鏡。
【請求項４】
前記支持要素（１２）は、射出成形または熱圧縮成形またはキャスティングによって、前記アーム部分（１１）と一体に形成される、
請求項１〜３のいずれか１項に記載の眼鏡。
【請求項５】
前記支持要素（１２）が第２の前記非動作位置に保持されるように、前記支持要素（１２）は、前記アーム（６）に設けられた対応する座部（２０）内で係合することができる、
請求項１〜４のいずれか１項に記載の眼鏡。
【請求項６】
前記座部（２０）は、前記アーム終端部分（１０ａ）内に設けられる、
請求項５に記載の眼鏡。
【請求項７】
前記支持要素（１２）と前記座部（２０）との間には、スナップイン式結合または圧力結合が提供される、
請求項５または６に記載の眼鏡。
【請求項８】
前記支持要素（１２）は、リングの形状を有し、前記リングは、前記アーム部分（１１）と一体に形成され、前記リング内で画定される開口（１６）は、前記耳介用装置（８）を取り外し可能に収容および保持することができる、
請求項１〜７のいずれか１項に記載の眼鏡。
【請求項９】
前記耳介用装置（８）と、該耳介用装置が機能するために必要とする構成要素とを電気的に接続するために、前記アーム（６）内および／または前記前部フレーム（２）内で延在する導電体の回路（２１）をさらに備える、
請求項１〜８のいずれか１項に記載の眼鏡。
【請求項１０】
前記アーム（６）の一方または各々は、少なくともいくつかの前記構成要素を収容することができる再閉鎖可能なハウジング（２２）を備える、
請求項９に記載の眼鏡。
【請求項１１】
前記支持要素（１２）は、前記アーム終端部分（１０ａ）上に取り外し可能に保持される、
請求項１に記載の眼鏡。
【請求項１２】
前記支持要素（１２）は、前記座部（２０）と取り外し可能に係合する、
請求項５に記載の眼鏡。
【発明の詳細な説明】
【技術分野】
【０００１】
本発明は、耳介用装置が設けられ且つ主請求項１の前提部に記載された特徴を有する眼鏡に関する。
【背景技術】
【０００２】
本発明は、眼鏡の構造体上、特に構造体のアーム上に設けられ、且つ耳の内側に正しく配置されるのに適した位置に設けられる耳介用装置と組み合わせて設計された眼鏡の特定の技術分野に含まれる。
【０００３】
これらの耳介用装置は、一般に、音楽や電話での会話の音声コンテンツを含む音源からのオーディオコンテンツを聴くための従来型のオーディオイヤホン（earpieces）に関連し、または特に聴覚に関する問題を補正する補聴器（例えば難聴者向け）に関連する。
【０００４】
上述したタイプの耳介用装置を、例えば側方アームの自由端部において構造体と一体化することは、イヤホンの使用における快適さおよび容易さを使用方法に関わらず著しく改善することができる一方で、使用中の効率に関わる多くの特定の問題を克服する必要もある。
【０００５】
これらの問題のうちの１つは、耳介用装置を保持するアームが人々の頭のそれぞれの形状や寸法に適切に適応して、いかなる場合であっても、眼鏡が使用者の頭に正しく装着され、イヤホンが耳の内側に正しく配置されることを保証する必要があることに関連する。
【０００６】
別の問題は、装置の全体的な寸法に関連し、補聴器の技術分野において特に明らかなものである。これは、設けられ得る電源バッテリ、マイクおよび増幅器の存在に関連する重大な問題であり、耳介用装置が使用されたときに得ることができる快適さのレベルに大きな影響を与える場合がある。
【発明の概要】
【発明が解決しようとする課題】
【０００７】
この特定の技術分野において、本発明の主な目的は、上述したタイプの耳介用装置を備えた眼鏡を提供することである。その構造および機能によって、上述した制限および問題が克服される。
【課題を解決するための手段】
【０００８】
上述した問題および以下で明らかになるその他の問題は、添付の特許請求の範囲に従って形成された眼鏡から構成される本発明によって解決される。
【図面の簡単な説明】
【０００９】
本発明の特徴および利点は、添付の図面を参照して非限定的に示す好ましい実施形態の以下の詳細な説明からより明らかになるであろう。
【図１】本発明による眼鏡の斜視図である。
【図２】図１の眼鏡の側方アームの側面図である。
【図３】特定の動作状態にある図１の眼鏡の側面図である。
【図４】図３とは異なる動作状態にある眼鏡の側面図である。
【図５】図１の実施例の詳細の拡大側面図である。
【図６】図１の実施例の詳細の拡大平面図である。
【図７】図１〜図６の眼鏡に取り付けられた耳介用装置の一実施形態の側面図である。
【図８】図７とは異なる耳介用装置の一実施形態の側面図である。
【図９】図７および図８とは異なる耳介用装置の一実施形態の側面図である。
【発明を実施するための形態】
【００１０】
上述した図面を参照すると、参照符号１は、本発明に従って形成され且つ耳介用装置を備えた眼鏡の一実施例を全体として示す。
【００１１】
眼鏡１は、前部フレーム２と、対応するレンズ４をそれぞれ支持する１対のリム３とを有する構造体を備える。これらのリムは、鼻の領域において延在するブリッジ５によって、中央で互いに接続される。参照符号６は、眼鏡の両方の側方アームを示す。側方アーム６は、蝶番によって、前部フレーム２の両側に設けられた面７とそれぞれ連結する。
【００１２】
ブリッジ５には、前部において鼻の上で構造体を支持する鼻当て装置５ａが設けられる。
【００１３】
眼鏡１には、図において参照符号８によって示される耳介用装置が設けられる。耳介用装置８は、耳甲介（concha of the auricle）内に動作可能に配置されるように設計され、以下でより詳細に説明するように、側方アーム６に取り付けられる。
【００１４】
好ましくは、装置８は、（例えば音楽や電話での会話の音声コンテンツを含むその他のコンテンツのような）オーディオコンテンツを聴くための例えば（耳介の外耳道に挿入される）「インイヤー」式のイヤホンとして、または聴覚に関する問題を補正する（例えば難聴者向けの）補聴器を含む耳介用装置として形成される。
【００１５】
代替的に、装置８は、例えば体温センサのような生体パラメータを検知する真のセンサから構成され得る。
【００１６】
両側のアームが（互いに鏡面対称の構造を有するように形成されるが）同一の構造的性質を有することを考慮して、以下では、特定の耳介用装置８が設けられた側方アーム６の一方のみを詳細に説明する。
【００１７】
アーム６は、フレーム２の対応する面７と連結する第１の端部（end）６ａと、反対側の第２の端部（end）６ｂとの間で、主に長手方向に延在する。アームは、端部６ａから、アーム終端部分（end arm portion）１０ａを介して端部６ｂまで延在するアームの一部分（arm part）１０を有する。アームの一部分１０は、端部６ｂの近傍で、使用者の耳の後ろの頭の領域と接触することができる。
【００１８】
アーム６および特にその終端部分１０ａは、端部６ｂからアームのさらなる部分（arm portion）１１まで延在する。アーム部分１１は、部分自体の反対側の自由端部１１ａにおいて、耳介用装置８を支持する要素１２を支える。
【００１９】
アーム部分１１は、所定のレベルの弾性変形能を有する柔軟な材料から適切に形成される。これにより、部分１１は、変形されると、その柔軟性によって、支持要素１２が耳の内側に装着されて耳介用装置が配置される動作位置と、支持要素１２がアーム終端部分１０ａ上に保持される非動作位置との間を移動することができる。特に、支持要素１２は、アーム終端部分１０ａ上に取り外し可能に保持される。
【００２０】
耳介用装置８が「インイヤー」式のイヤホンとして設計される場合、イヤホンは、第１の動作位置において、外耳道の開口に挿入される。好ましくは、第２の非動作位置において、アーム部分１１は、例えば所定の間隔だけ離間するように終端部分１０ａに隣接する位置に保持される。
【００２１】
また、支持要素１２を支えるアーム部分１１の端部１１ａも、適切な結合システムによって、アーム終端部分１０ａ上に保持される。特に、支持要素１２を支えるアーム部分１１の端部１１ａは、適切な結合システムによって、アーム終端部分１０ａ上に取り外し可能に保持される。
【００２２】
一実施形態において、支持要素１２は、例えばゴム等の弾性材料の射出成形によって、アーム部分１１と一体に形成される。
【００２３】
代替の実施形態において、支持要素１２は、熱圧縮成形またはキャスティングによって、アーム部分１１と一体に形成される。
【００２４】
一実施形態において、支持要素１２、アーム部分１１および終端部分１０ａは、例えばゴムの射出成形によって、互いに一体に形成される。
【００２５】
代替的に、支持要素１２、アーム部分１１および終端部分１０ａは、熱圧縮成形またはキャスティングによって、互いに一体に形成される。
【００２６】
好ましくは、支持要素１２は、円形断面を有する貫通孔１６の境界を画定するリングの形状を有する。貫通孔１６は、閉鎖された輪郭を有する。参照符号１７は、リングの円筒状の内壁を示し、参照符号１８は、リングの円筒状の外壁を示す（それらの間で、リングの半径方向厚さが画定される。）。耳介用装置８は、内壁１７と接触するように、円形開口１６内に取り外し可能に収容および保持される。
【００２７】
図７〜図９には、３つの異なる形状を有する耳介用装置８が示されている。これらの装置は、円筒状の外殻を有する表面部分１９を含み、支持体の開口１６内で実質的に形状が適合するように係合するという共通点を有する。このような結合は、わずかな弾性干渉を伴う圧力結合として生成され得る。
【００２８】
追加的にまたは代替的に、耳介用装置８とリング形状を有する支持体１２とは、「スナップイン」式結合手段によって、係合および係合解除され得る。この場合、支持体の円筒状の壁１７の輪郭または装置８の表面部分１９には、例えば歯部、凸部、凹部または溝等のような対応する構造が適切に設けられる。
【００２９】
歯部、凸部、凹部または溝等のような局所的な構造を使用することは、支持体１２に装置８をより安定して取り外し可能に固定するため、および必要に応じて、装置を支持体上の正しい位置および中央にガイドするために役立つことが見出された。これは、機能的または人間工学的な理由により、耳の内側で正確に配向される必要があるように耳介用装置８が設計された場合に生じる可能性がある。
【００３０】
非動作位置に移動した場合に支持体１２がアーム終端部分１０ａ上に保持されるシステムを再び参照すると、アーム終端部分１０ａは、好ましくは圧力結合によって支持要素１２が係合することができる座部２０を備える。これにより、結合面同士の間の弾性干渉を小さくすることができる。特に、支持要素は、座部２０と取り外し可能に係合することができる。
【００３１】
詳細には、座部２０は、終端部分１０ａ内に形成された凹部によって画定される。その内側の空洞は、リングが凹部内で係合して凹部とリングの円筒状の外壁１８の主要部分とが互いに接触することができるように、適切な形状および曲率を有する。
【００３２】
リング形状を有する支持体を凹部に挿入するために圧力を加えると、支持体は、わずかに弾性的に変形する。これにより、弾性戻りが生じて、凹部内で支持体２１が保持される。
【００３３】
代替的に、支持体１２は、結合手段によって、より詳細には弾性的なスナップイン結合手段によって、座部２０の凹部に保持されてもよい。これも、アーム終端部分１０ａ上で第２の非動作位置にイヤホン８を保持するのに適している。また、圧力下での挿入と組み合わされる場合もある。
【００３４】
アーム部分１１の柔軟性により、イヤホンを支える支持体１２を座部２０の凹部から容易に取り外すことができ、図３に示す非動作位置から、図４に示す動作位置へ容易に移動することができる。これにより、より高い適応性を有するようにイヤホン８を配置して、その機能が正しく実施されるように、イヤホン８を外耳道に挿入することができる。
【００３５】
信号すなわち音声信号または電源信号が構造体の一部に沿って耳介用装置８から送受信される場合、構造体のアーム６の内部および前部フレーム２の内部において、対応する部分に導電体の回路を埋め込むことができる。回路は、例えば導電性材料から形成されたワイヤ導体要素を備える。導体は、対応する部分の成形プロセス中にアームおよび前部フレームに埋め込まれてもよく、構造体内に形成された適切な空洞に配置されてもよい。図１には、上述したように形成された電気回路２１の延在部の経路が、一点斜線によって模式的に示されている。経路は、耳介用装置８から離れる方向および耳介用装置８に向かう方向で、構造体に沿って延在する。
【００３６】
また、各アーム６には、参照符号２２によって示される対応するハウジングが設けられる。ハウジング２２は、アームの一部分１０内の空間において画定され、アームの内側（使用者の頭に対向する側）に開口し、取り外し可能に結合することができる特定の閉鎖カバー２３を備える。
【００３７】
一実施形態において、一方のアーム６に設けられたハウジング２２は、Ｂｌｕｅｔｏｏｔｈ送受信モジュールまたは装置２４を収容し、他方のアームに設けられたハウジングは、電力を供給するバッテリ２５を収容する。
【００３８】
バッテリ２５およびＢｌｕｅｔｏｏｔｈ送受信装置２４は、回路２１を介して、各耳介用装置８とそれぞれ電気的に接続される。これにより、装置が正しく機能することができる。
【００３９】
好ましくは、バッテリ２５は、充電可能且つ取り外し不可能なバッテリである。代替的に、バッテリは、取り外し可能なバッテリであってもよい。また、バッテリは、非充電式のバッテリであってもよく、この場合、電池が切れた際に交換できるように、必ず取り外し可能である必要がある。
【００４０】
また、耳介用装置８が補聴器としての機能を有する場合、電力を供給するバッテリと共に、このタイプの装置にとって典型的な構成要素をさらに備えることができる。典型的な構成要素とは、例えば、外部の音を拾うためのマイク、増幅器、音を処理するための任意の処理部または処理手段、装置のオン／オフを切り替えるための装置、および音量すなわち使用者の耳に伝達される音の強度を制御するための装置等である。これらの装置は、一方および／または他方のハウジング２２に収容される。
【００４１】
代替的に、上述した構成要素は、耳介用装置内で一体化されてもよい。この場合、アームまたは構造体のその他の部分にそれらを収容する必要がない。
【００４２】
一実施形態において、アーム終端部分１０ａには、内部空洞２７が適切に設けられる。内部空洞２７には、導電性金属材料から形成されたまたは導電性金属材料でコーティングされたコア２８が収容される。
【００４３】
単に一例として、コア１４は、鋼から適切に形成されてもよく、その後、ガルバニックプロセスによって堆積された金の導電層がコーティングされてもよい。
【００４４】
弾性材料（例えばゴム）から形成された終端部分１０ａは、射出成形プロセスによって、コア２８上にオーバーモールドされる。代替的に、支持要素１２、アーム部分１１および終端部分１０ａは、圧縮成形またはキャスティングによって、互いに一体に形成され、その後、終端部分１０ａが、コア２８に固定される。このようなコアは、必要に応じて、導電体手段として機能して、例えば電気回路２１と電気的に接続され得る。
【００４５】
また、内部コア２８は、アームの一部分１０に当接する終端部分１０ａの領域において、アームの一部分１０内で係合する枝部２９内まで延在する。また、枝部２９によって、コア２８は、アームの一部分１０の内部に設けられる対応するハウジング２２に収容された構成要素と電気的に接続され得る。
【００４６】
また、内部コア２８は、アームの端部６ｂにおいて、アーム部分１１に沿って支持体１２まで延在する回路の導線と電気的に接続され得る。
【００４７】
また、リング形状を有する支持体１２まで延在する回路の導体と、耳介用装置８内に設けられた回路との間にも、電気的接続が提供される。
【００４８】
一実施形態において、アームの一部分１０は、終端部分１０ａを形成するために使用された弾性材料ほど変形することができない剛性を有するプラスチック材料から形成される。
【００４９】
コア２８は、選択された金属材料の特徴および全体の形状によって、塑性変形することができる。これにより、アーム終端部分１０ａは、「調整可能」すなわち使用者の頭の形状と適合するような適合性を有し、快適且つ安定した眼鏡の装着感を得ることができる。
【００５０】
実際、アーム終端部分１０が調整操作されると、コア２８は、塑性変形して、新しい形状を維持する傾向にある。その一方で、コア２８を囲むエラストマ（またはゴム）は、その弾性降伏によって、コアに加えられた新規の曲げに続いて弾性的に変形する傾向にある。したがって、コアは、コアの剛性によって生成された新しい形状に制限される。
【００５１】
本発明によって、上述した解決策に関連して記載した利点が達成され、上述した問題が解決される。
【００５２】
その主な利点の１つは、耳介用装置と組み合わせて形成された本発明の眼鏡によって、眼鏡が人々の頭のそれぞれの形状および寸法に、より効果的に適応できることにある。これにより、いかなる場合であっても、眼鏡が使用者の頭に正しく装着され、イヤホンが耳の内側に正しく配置されることを保証することができる。
【００５３】
別の利点は、本発明の眼鏡によって、耳介用装置がより小さな寸法を有利に有することができることにある。特に、例えばバッテリ、Ｂｌｕｅｔｏｏｔｈ送受信装置または補聴器の形態を有する耳介用装置のような追加の構成要素が設けられる場合、これらの構成要素をアームに収容することができるため、イヤホンの寸法を小さくすることができる。これにより、耳の内側におけるイヤホンの専有スペースとその重量とを小さくすることができ、改善された装着感を得ることができる。
【図１】
2020522755.tif 000003
【図２】
2020522755.tif 000004
【図３】
2020522755.tif 000005
【図４】
2020522755.tif 000006
【図５】
2020522755.tif 000007
【図６】
2020522755.tif 000008
【図７】
2020522755.tif 000009
【図８】
2020522755.tif 000010
【図９】
2020522755.tif 000011
【国際調査報告】
2020522755.tif 000012
2020522755.tif 000013